(57)【要約】【課題】おむつを使用する際（装着中及び交換時）の肌の傷付きを効果的に防止する。【解決手段】上記課題は、内面全体が不織布により形成された吸収本体１０と、この吸収本体１０の腹側部分１０Ｆ外面における幅方向中間部に設けられた、メカニカルファスナーのフックテープ又は粘着剤層からなる固定部２０と、この固定部２０の全体を被覆可能であり、且つこの固定部２０に剥離可能に固定される被覆シート３０と、を有し、装着に際して、吸収本体１０の背側部分１０Ｂの両側部を、吸収本体１０の腹側部分１０Ｆ外面の固定部２０に固定し、その上から固定部２０全体を被覆シート３０で覆うように構成することによって、解決される。【選択図】図６
2011010705.tif 000002
【特許請求の範囲】
【請求項１】
腹側部分及び背側部分を有する吸収本体と、
この吸収本体の腹側部分外面における幅方向中間部に設けられた、メカニカルファスナーのフックテープ又は粘着剤層からなる固定部と、
この固定部の全体を被覆可能であり、且つこの固定部に剥離可能に固定される被覆シートと、前記吸収本体の背側部分の両側部に幅方向外側に突出する、内面全体が不織布により形成されたフラップ部と、を有し、
装着に際して、前記フラップ部を前記吸収本体の腹側部分外面の固定部に固定し、その上から固定部全体を前記被覆シートで覆うように構成した、
ことを特徴とする使い捨ておむつ。
【請求項２】
前記被覆シートにおける前記固定部と接触する面の動摩擦係数が０．８５以上である、請求項１記載の使い捨ておむつ。
【請求項３】
前記被覆シートに、チューブ又はコードが挿通される一対の並列なスリットが一組又は複数組設けられている、請求項１又は２記載の使い捨ておむつ。
【請求項４】
前記被覆シートのうち少なくともスリットを有し且つ前記固定部を被覆可能な寸法を有する部分が、おむつから分離可能である、請求項３記載の使い捨ておむつ。
【請求項５】
前記被覆シートに、前記一対の並列なスリット間を結ぶミシン目が設けられている、請求項４記載の使い捨ておむつ。
【請求項６】
前記被覆シートは、前記固定部に対する取付角度が０〜３６０度の全範囲で前記固定部の全体を被覆可能である、請求項３記載の使い捨ておむつ。
【請求項７】
前記固定部は、メカニカルファスナーのフックテープであり、前記被覆シートは、不織布、不織布と樹脂フィルムとをラミネートしたラミネートフィルム、又は織布である、請求項１〜６のいずれか１項に記載の使い捨ておむつ。
【発明の詳細な説明】
【技術分野】
【０００１】
発明は、病院等の医療施設において、乳幼児、特に未熟児や低出生体重児への使用に適した使い捨ておむつに関するものである。
【背景技術】
【０００２】
一般に、出生体重が２，５００ｇ以下の新生児は低出生体重児、１，５００ｇ以下の新生児は極低出生体重児、１，０００ｇ以下の新生児は超低出生体重児と呼ばれており、母体内にいる期間が短いことに起因して様々な面で抵抗力がなく、肌も弱いため、新生児集中治療室（ＮＩＣＵ）において保育器内で保育される。このような低出生体重児用の使い捨ておむつの提案もいくつかなされているが、他の新生児と同様に通常のテープタイプ使い捨ておむつ（例えば特許文献１、２参照）と同素材、同構造で、ただ単にサイズを小さくしたものを用いているのが現状である。
【先行技術文献】
【特許文献】
【０００３】
【特許文献１】特開２００６−１３６７０２号公報
【特許文献２】特開２００５−２８７８７１号公報
【特許文献３】特開２００９−８２４８４号公報
【発明の概要】
【発明が解決しようとする課題】
【０００４】
しかしながら、低出生体重児は、角質層が極端に薄く肌が弱いため、おむつとの摩擦だけでも角質が剥がれ、その部分から細菌が侵入し炎症等のトラブルを引き起こすことがある。
また、低出生体重児は、保育器の中では使い捨ておむつしか着用していないにも関わらず、点滴等の治療や監視用の器具を体に装着させることが多く、体に挿入されるチューブやコードの固定は、医療用粘着テープを肌に直接貼り付けることにより行っている。しかし、低出生体重児の場合、粘着テープの糊であってもテープ剥離時に薄い角質は剥がれてしまう。この対策のために剥離剤を塗布し、粘着テープを貼ることも実践されているが、角質層の剥離を完全に抑えることはできていない。よって、これらチューブ使用時における肌トラブル防止も問題となっている。
そこで、本発明の主たる課題は、おむつを使用する際（装着中及び交換時）の肌の傷付きを効果的に防止することにある。
【課題を解決するための手段】
【０００５】
上記課題を解決した本発明は次記のとおりである。
＜請求項１記載の発明＞
腹側部分及び背側部分を有する吸収本体と、
この吸収本体の腹側部分外面における幅方向中間部に設けられた、メカニカルファスナーのフックテープ又は粘着剤層からなる固定部と、
この固定部の全体を被覆可能であり、且つこの固定部に剥離可能に固定される被覆シートと、前記吸収本体の背側部分の両側部に幅方向外側に突出する、内面全体が不織布により形成されたフラップ部と、を有し、
装着に際して、前記フラップ部を前記吸収本体の腹側部分外面の固定部に固定し、その上から固定部全体を前記被覆シートで覆うように構成した、
ことを特徴とする使い捨ておむつ。
【０００６】
（作用効果）
このように、吸収本体の腹側部分外面に固定部を設け、吸収本体の両側部の内面に固定部を設けずに内面全体を不織布で形成することで、装着中及び交換時に粘着剤層やフックテープのように肌を傷付けるおそれが高い部材が、肌に接触し難くなる。また、装着中においても、固定部が被覆シートで覆われるため、固定部による肌の傷付きを効果的に防止できる。さらに、被覆シートは固定部に対して剥離可能に固定できるため、固定部上にチューブやコード（以下、チューブ等ともいう）を配置してそれを跨ぐように被覆シートを被せ、チューブ等の両側で被覆シートを固定部に固定することにより、被覆シートをチューブ等固定用の粘着テープの代わりに用いることもできる。この場合、おむつ交換時には被覆シートを剥がすことにより、チューブ等をおむつから容易に取り外すことができる。よって、従来のように肌に直接粘着テープを貼り付ける必要が無くなる。そして、これらの利点により、おむつを使用する際（装着中及び交換時）の肌の傷付きを効果的に防止できるようになる。
【０００７】
＜請求項２記載の発明＞
前記被覆シートの動摩擦係数が０．８５以上である、請求項１記載の使い捨ておむつ。
【０００８】
（作用効果）
被覆シートがこのよう動摩擦係数を有していると、治療用等のチューブ等が滑らずに確実に保持できるため好ましい。なお、本発明における動摩擦係数とは、島津製作所製オートグラフＡＧ−Ｘ５００ＮでＪＩＳ Ｋ  ７１２５に準拠した試験により測定されるものである。
【０００９】
＜請求項３記載の発明＞
前記被覆シートに、チューブ又はコードが挿通される一対の並列なスリットが一組又は複数組設けられている、請求項１又は２記載の使い捨ておむつ。
【００１０】
（作用効果）
このような一対の並列なスリットを設けておけば、チューブ等を一方のスリット、他方のスリットの順に通すことにより、チューブ等を被覆シートの表面に拘束することができる。
【００１１】
＜請求項４記載の発明＞
前記被覆シートのうち少なくともスリットを有し且つ前記固定部を被覆可能な寸法を有する部分が、おむつから分離可能である、請求項３記載の使い捨ておむつ。
【００１２】
（作用効果）
スリットによるチューブ等の固定を行う場合、おむつ交換の際にはチューブ等を引き抜くこともできるが作業が煩雑となり、装着者に過度の負担を与えるおそれがあるため好ましくない。これに対して、被覆シートのうち少なくともスリットを有し且つ固定部を被覆可能な寸法を有する部分がおむつから分離可能であると、おむつ交換の際に、被覆シートのスリットにチューブ等を通したまま、被覆シートをチューブ等とともに使用済みおむつから分離し、それをそのまま新しいおむつの固定部に貼り付けることができ、おむつ交換及びそれに伴うチューブ等固定作業を簡略化することができる。
【００１３】
＜請求項５記載の発明＞
前記被覆シートに、前記一対の並列なスリット間を結ぶミシン目が設けられている、請求項４記載の使い捨ておむつ。
【００１４】
（作用効果）
スリットによるチューブ等の固定を行う場合、おむつ交換の際にはチューブ等を引き抜くこともできるが作業が煩雑となり、装着者に過度の負担を与えるおそれがあるため好ましくない。これに対して、上述のようなミシン目を設けておけば、ミシン目を切り離すことにより、チューブ等を被覆シートから容易に取り外すことができるようになる。
【００１５】
＜請求項６記載の発明＞
前記被覆シートは、前記固定部に対する取付角度が０〜３６０度の全範囲で前記固定部の全体を被覆可能である、請求項３記載の使い捨ておむつ。
【００１６】
（作用効果）
被覆シート及び固定部の各寸法形状がこの条件を満たしていることにより、チューブ等の向きに応じて被覆シートの向きを変えても固定部全体を覆うことができるため好ましい。
【００１７】
＜請求項７記載の発明＞
前記固定部は、メカニカルファスナーのフックテープであり、前記被覆シートは、不織布、不織布と樹脂フィルムとをラミネートしたラミネートフィルム、又は織布である、請求項１〜６のいずれか１項に記載の使い捨ておむつ。
【００１８】
（作用効果）
本発明の固定部は、繰り返し剥離を行っても固定力が落ちない点でフックテープが好ましく、その場合、被覆シートはこのような繊維集合層からなる面を有する素材が好ましい。なお、フックテープは硬質素材であるため、装着者の肌を傷付け易いが、本発明では取り付け位置及び被覆シートという二重の防御手段を設けているため、従来よりも肌を傷付ける可能性は格段に低くなるものである。
【発明の効果】
【００１９】
以上のとおり本発明によれば、おむつを使用する際（装着中及び交換時）の肌の傷付きを効果的に防止できるようになる、等の利点がもたらされる。
【図面の簡単な説明】
【００２０】
【図１】本発明に係る使い捨ておむつの展開状態の内面側を示す平面図である。
【図２】本発明に係る使い捨ておむつの展開状態の外面側を示す平面図である。
【図３】図１のＡ−Ａ断面図である。
【図４】図１のＢ−Ｂ断面図である。
【図５】装着途中の状態を示す斜視図である。
【図６】装着状態を示す斜視図である。
【図７】変形例の外面を示す正面図である。
【図８】変形例の装着状態を示す斜視図である。
【図９】各種変形例を示す平面図である。
【図１０】各種変形例を示す平面図である。
【発明を実施するための形態】
【００２１】
以下、本発明の一実施形態について添付図面を参照しながら詳説する。
図１〜図６は、本発明に係る使い捨ておむつ１を示している。この使い捨ておむつ１は、背側部分（前後方向中央より後側の部分）１０Ｂ及び腹側部分（前後方向中央より前側の部分）１０Ｆを有し、内面全体が不織布により形成された吸収本体１０と、この吸収本体１０の腹側部分１０Ｆ外面における幅方向中間部に設けられた、メカニカルファスナーのフックテープ又は粘着剤層からなる固定部２０と、この固定部２０の全体を被覆可能であり、且つこの固定部２０に剥離可能に固定される被覆シート３０と、を基本構成とするものである。
【００２２】
装着に際しては、図５に示されるように、吸収本体の背側部分１０Ｂの両側部を、吸収本体の腹側部分１０Ｆ外面の固定部２０に固定した後、その上から図６に示されるように固定部２０全体を被覆シート３０で覆うようにする。よって、装着中及び交換時に粘着剤層やフックテープのように肌を傷付けるおそれが高い部材が、肌に接触し難くなる。また、装着中においても、固定部２０が被覆シート３０で覆われるため、固定部２０による肌の傷付きを効果的に防止できる。さらに、被覆シート３０は固定部２０に対して剥離可能に固定できるため、図６に示すように、固定部２０上にチューブ等４０を配置してそのチューブ等４０を跨ぐように被覆シート３０を被せ、チューブ等４０の両側で被覆シート３０を固定部２０に固定することにより、被覆シート３０をチューブ等４０固定用の粘着テープの代わりに用いることもできる。この場合、おむつ交換時には被覆シート３０を剥がすことにより、チューブ等４０をおむつから容易に取り外すことができる。
【００２３】
吸収本体は適宜設計することができるが、図示例では、図３の断面からも判るように、肌側に位置する液透過性表面シート２と、外面側に位置する液不透過性裏面シート３と、これらの間に介在された吸収体４とを有しており、表面シート２及び裏面シート３は周縁部５において相互に接合され、この接合部分で囲まれる空間に吸収体４が収容されている。接合手法は特に限定されないが、ヒートシールや、超音波シールでは接合部分が硬くなるため、ホットメルト接着剤５ｂ，４ｂにより接合するのが好ましい。
【００２４】
また、裏面シート３の外面には、不織布からなる外装シート１２が設けられている。外装シートの外面には、一般的なテープ式使い捨ておむつのような止着用のターゲットテープや、生理用ナプキンのようなズレ止め用粘着材やこれを被覆する剥離紙のような固定手段は設けられていない。
【００２５】
これら部品の素材としては、公知のものを適宜用いることができる。例えば、表面シート２としては、目付け１５〜３５ｇ／ｍ2程度の各種不織布の他、多数の孔を有する孔開きフィルム等を用いることができ、必要に応じて、ビタミンＥ等のように皮膚の酸化劣化を抑制する酸化防止剤、皮膚の角質層の水分を保持し皮膚を柔軟にする動植物性油脂やグリセリン脂肪酸エステルのようなエモリエント剤・保湿剤等のスキンケア成分を含有させることができる。不織布としてはエアスルー、ポイントボンド、スパンボンド等、特に限定されないが、表面シート２に原料段階（原綿）でスキンケア成分を塗工する場合は短繊維不織布が好ましく、製品の製造ラインでスキンケア成分を塗工するのであれば、表面の平滑性が高いスパンボンド不織布が好ましい。また、不織布としては疎水性のものであっても良いが、肌に優しいという点で、親水性を有する不織布、中でも親水性天然繊維を含む不織布が好適である。
【００２６】
裏面シート３としては、ポリエチレンフィルム等からなる非通気性フィルムまたは通気性多孔質フィルムを用いることができる。外装シートとしては、目付け１０〜４０ｇ／ｍ2程度の各種不織布、特に強度および柔軟性の両立の観点から、ＳＭＳ不織布やＳＭＭＳ不織布等の積層不織布を好適に用いることができる。
【００２７】
外装シート１２としては、不織布が好適であるが、これに限定されない。不織布の種類は特に限定されず、素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布１２相互をホットメルト接着剤等により接着するのが好ましい。不織布を用いる場合、その繊維目付けは１０〜５０ｇ／ｍ2、特に１５〜３０ｇ／ｍ2のものが望ましい。
【００２８】
吸収体４としては、パルプ繊維の積繊体、セルロースアセテート等のフィラメントの集合体、あるいは不織布を基本とし、必要に応じて高吸収性ポリマーを混合、固着等してなるものを用いることができる。吸収体４は、厚みを薄くするためエアレイド法により形成するのが好ましい。吸収体４における繊維目付けは８０〜１５０ｇ／ｍ2程度であるのが好ましく、ポリマー目付けは９０〜１６０ｇ程度であるのが好ましい。吸収体４に用いる高吸収性ポリマーとしては抗菌ポリマーが好ましい。吸収体４は、矩形や砂時計形などの形状であり、必要に応じて薄葉紙等の透液性シートで包装することができる。
【００２９】
また、図示形態の吸収本体１０においては、幅方向両側における、表面シート２の周縁部２ｅと裏面シート３の周縁部３ｅとの間に、弾性伸縮部材６が前後方向（縦方向）に伸張した状態でそれぞれ固定されている。弾性伸縮部材６の固定は、表面シート２の周縁部２ｅと裏面シート３の周縁部２ｅとを接合するホットメルト接着剤により行われている。弾性伸縮部材６としては、図示例のように糸ゴム等の細長状のものが好ましいが、シート状や網状のものを用いることができる。糸ゴムとしては、合成ゴム、天然ゴムを問わず用いることができ、太さは４７０ｄｔｅｘ以上（合成ゴムの場合、天然ゴムも同程度であるのが好ましい）のものが好ましく、前後方向に沿って１２０〜２５０％伸張した状態で固定されているのが好ましい。このような弾性伸縮部材６が設けられていると、吸収本体１０の幅方向両側部が収縮して脚周りにフィットするようになる。なお、弾性伸縮部材６の収縮が肌の弱い低出生体重児にとって、過剰な刺激となり肌トラブルを誘発する場合もあるため、弾性伸縮部材６を省略しても良い。
【００３０】
吸収本体１０は適宜の形状とすることができるが、図示例では長方形を基本として、幅方向両側縁が脚周りに沿うように曲線状に切断されており、また背側部分１０Ｂのウエスト側部分の両側部に幅方向外側に突出するフラップ部１１が形成されており、このフラップ部１１を含む領域が固定部２０に固定される部分となっている。フラップ部１１は、表面シート２、裏面シート３、外装シート１２の少なくとも一つの該当部位を前後方向両側よりも幅方向外側に延出させることにより形成することができるが、図示例では外装シート１２のみを延出させることにより形成している。
【００３１】
吸収本体１０の寸法は、例えば長さ１０Ｌは１００〜３００ｍｍ程度、幅１０Ｗは５０〜１５０ｍｍ程度とすることができる。吸収本体１０の吸収体４を有する部分における厚みは、例えば圧力０．５ｇ／ｃｍ2における厚みＴｏ（初期厚み）が２〜５ｍｍ、特に３〜４ｍｍであるのが好ましく、最大圧力（ここでは５０ｇ／ｃｍ2）における厚みＴｍ（絶対厚み）が０．５〜３ｍｍ、特に１〜２ｍｍであるのが好ましい。また、吸収本体１０の前後方向における曲げ剛性が１〜２５ｃＮ／５０ｍｍであるのが好ましい。この範囲内であれば、後述する物品の隆起や反り返りが容易に達成される。なお、Ｔｏ及びＴｍはＫＥＳ(Kawabata's Evaluation System for Fabrics)に基づき、KES-FB3-AUTO-A 自動化圧縮試験機を用いた圧縮試験により測定する。測定は、圧縮面積２ｃｍ2の円形平面をもつ鋼板間で、０ｇｆ／ｃｍ2から最大圧縮荷重５０ｇｆ／ｃｍ2まで試料を圧縮し、元に戻す間で行う。初期厚みＴｏは、圧力０．５ｇｆ／ｃｍ2における試料の厚みである。絶対厚みＴｍは、圧力５０ｇｆ／ｃｍ2における試料の厚みである。また、曲げ剛性（剛度）は、ＪＩＳ Ｋ ７１７１（プラスチック‐曲げ剛性の試験方法）に準拠し、次の方法で測定する。測定にはテンシロン試験機（圧子先端部の曲率半径Ｒ１＝５．０±０．１ｍｍ、支持プレート先端部の曲率半径Ｒ２＝５．０±０．２ｍｍ）を用い、吸収体４が存在する部分のおむつの前後方向の曲げ剛性を測定する。試験片は、おむつから測定に影響する弾性伸縮部材を取り除き、これをおむつ長手方向８０ｍｍ、おむつ幅方向５０ｍｍの長方形に切り取ることにより作製する。曲げ剛性値の単位中の５０ｍｍは試験片の短辺の長さであり、試験時の圧子でたわませた試験片の幅である。それぞれ断面円弧状の先端部を有し、両先端部の先端（上端）間の間隔を５０ｍｍとして、互いに平行に且つ両先端部の高さ位置を揃えて配置された一対の支持プレート上に、上記の試験片を、その長手方向を各プレートに直交する方向に向けて、掛け渡すように載置し、その試験片に僅かに接するように圧子先端部を配置する。ロードセル５ｋｇ（レンジ１９６ｃＮ）、速度３０ｍｍ／ｍｉｎの条件で圧子を降下させ、荷重‐たわみ曲線を得る。得られた曲げ応力の最大値を曲げ剛性値（ｃＮ／５０ｍｍ）とする。
【００３２】
他方、固定部２０は、フックテープ又は粘着剤層により設けることができるが、繰り返し剥離を行っても固定力が落ちない点でフックテープが好ましい。メカニカルファスナー（面ファスナー）のフックテープ（オス材）は、合成樹脂等からなるシート基材の表面に、多数のキノコ状、レ字状等のフック状突起が設けられているものであり、このフック状突起が不織布繊維と絡み合うことにより不織布に剥離可能に固定されるものである。フックテープとしては、通常のものより柔らかい柔軟タイプのオス材を用いるのがより好ましい。例えば、オス材はポリプロピレンとポリエチレンを混合した樹脂から形成したものが柔軟で好適であるが、その中でもポリエチレンの比率を高くしたものがより好ましい。また、オス材の形状は角のある四角形よりも、面取りした四角形など、角のない円形に近い形状が好ましい。
【００３３】
固定部２０は、腹側部分１０Ｆ外面における幅方向中間部であれば、幅方向に複数個所に設けることもできるが、装着者の肌により当たり難くするために、幅方向中央部に一つ設けるのが好ましい。また、同様の観点から、固定部２０のウエスト側端縁は吸収本体１０のウエスト端縁から１０〜３５ｍｍ程度股間側に位置しているのが好ましい。特に固定部２０がフックテープである場合は、その硬さが装着者に伝わり難いように、固定部２０が吸収体の範囲内（つまり、固定部２０の周縁が吸収体の周縁より内側）に配置されているのが好ましい。
【００３４】
そして、この位置以外には、フックテープや粘着剤層等の固定手段が設けられておらず、吸収本体１０の内面全体が不織布で構成されているため、使用中及び交換の際に、固定手段が肌を傷付けるおそれがなくなる。図示形態では、表面シートが吸収本体１０の両側部まで達しない幅で設けられており、その結果として、背側部分１０Ｂの両側部、つまり固定部２０に固定される部位は外装シート１２の表面が露出している。よって、この場合、外装シート１２における背側両側部、図示形態の場合は主にフラップ部１１における外装シート１２露出部分が固定部２０に固定されることになる。もちろん、背側部分１０Ｂの両側部は固定部２０に固定される部位であるため、表面に、固定部２０の固定力に優れ強度の高い不織布を別途貼り付けたり、表面を構成する不織布に起毛加工を施したりすることもできる。また、表面シート２を吸収本体の幅方向両側部まで延在させて、背側部分１０Ｂの両側部、つまり固定部２０に固定される部位を表面シート２により形成することもできる。あるいは、吸収本体１０の両側部に、内面全体が不織布によりなる別の部材を連結することによりフラップ部１１を形成することもできる。さらに、図示形態は、低出生体重児用途を想定しているため、いわゆる立体ギャザーを設けていないが、立体ギャザーを設ける場合は、立体ギャザーを形成するシートを不織布で構成するとともに、この不織布で少なくとも背側部分１０Ｂの両側部を被覆することもできる。
【００３５】
また、固定部２０の露出を防止するための被覆シート３０としては、固定部２０の固定機能によって剥離可能に固定可能なものであれば特に限定されないが、表面が滑らかで刺激が少ないものが好ましく、不織布、不織布と樹脂フィルムとをラミネートしたラミネートフィルム（固定部２０がフックテープの場合には不織布が固定部２０側面となり、粘着剤層の場合には不織布又は樹脂フィルムが固定部２０側面となる）、又は織布が好適である。不織布としては、表面シートと同様のものを用いることができる。被覆シート３０をチューブ等４０固定用の粘着テープの代わりに用いる場合（前述の図６に示す形態はもちろん、後述するスリット３１を有する形態でも同様である）、被覆シート３０における固定部２０と接触する面の動摩擦係数（前述したとおり）が０．８５以上であると、チューブ等４０が滑らずに確実に保持できるため好ましい。
【００３６】
被覆シート３０は、製品状態でおむつ１枚ずつに貼り付けておいても、また、おむつと別体のシートとして添付しても良い。ユーザーの利便性を考えるとおむつ１枚ずつに予め貼り付けることが望ましい。被覆シート３０をおむつに予め貼り付けておく場合、固定部２０の固定機能を用い、固定部２０全体を被覆するように貼り付けておくのが望ましいが、固定部２０の固定機能以外に、接着剤等を用いて固定部２０又は固定部２０以外の部分に貼り付けておいても良い。また、被覆シート３０を固定部２０から剥離した際、被覆シート３０の全体がおむつから分離するようになっていても、被覆シート３０が脱落しないように被覆シート３０の一部が固定部２０の周囲等の適所に接着又は溶着等により固定されていても良い。
【００３７】
他方、チューブ等４０をより確実に固定するために、図７及び図８に示すように、被覆シート３０に、チューブ等４０が挿通される一対の並列（互いに交差しない）なスリット３１を設けるのも好ましい形態である。このような一対の並列なスリット３１を設けておけば、チューブ等４０を一方のスリット３１、他方のスリット３１の順に通すことにより、チューブ等４０を被覆シート３０の表面に拘束することができる。また、製造も容易である。図示例のスリットは直線状のスリットが平行に配置されているものであるが、並列する限り、平行である必要はなく、また各スリットも直線状ではなく、曲線状であっても良い。
【００３８】
スリット３１によるチューブ等４０の固定を行う場合、おむつ交換の際にはチューブ等４０を引き抜くこともできるが、交換頻度が高い場合（ＮＩＣＵにおけるおむつ交換頻度は平均で１０枚／１日程度である）作業が煩雑となり、装着者に過度の負担を与えるおそれがあるため好ましくない。これに対して、被覆シート３０のうち少なくともスリット３１を有し且つ固定部２０を被覆可能な寸法を有する部分、好ましくは全体がおむつから分離可能であると、おむつ交換の際に、被覆シート３０のスリット３１にチューブ等４０を通したまま、被覆シート３０をチューブ等４０とともに使用済みおむつから分離し、それをそのまま新しいおむつの固定部２０に貼り付けることができ、おむつ交換及びそれに伴うチューブ等４０固定作業を簡略化することができる。
【００３９】
また、被覆シート３０からチューブ等４０を取り外し易くするために、図７及び図８に示すように、被覆シート３０に、一対の並列なスリット３１間を結ぶミシン目３２を設けるあるいは並列なスリット３１間を結ぶ連続した切れ目を設けるのも好ましい。ミシン目３２を切り離すことにより、チューブ等４０を被覆シート３０から容易に取り外すことができるようになる。ミシン目３２を設ける位置は適宜定めることができ、図示形態のように両スリット３１の長手方向一端部を結ぶように設ける他、スリット３１の長手方向中央部や、またスリット３１の長手方向両端部にそれぞれ設ける等、複数設けることもできる。
【００４０】
スリット３１の方向、本数は適宜定めることができる。図９及び図１０に、スリット３１を設ける場合のいくつかの例を示した。スリット３１は、図９（ｂ）に示すように一組設ける他、図９（ａ），（ｃ）に示すように複数組設けることもでき、複数組設ける場合は図９（ａ）に示すように縦並びとする他、図９（ｃ）に示すように横並びとすることもでき、特に横並びとする場合は図示のように縦方向位置をずらすのが好ましい。また、スリット３１の向きは、図９（ａ），（ｃ）に示すようにチューブ等４０を縦方向に通すために横方向としたり、図９（ｂ）に示すようにチューブ等４０を横方向に通すために縦方向としたり、図１０に示すようにチューブ等４０を斜め方向に通すためにこれと直交する方向としたりする等、任意に定めることができる。
【００４１】
また、被覆シート３０の全体がおむつから分離可能である場合、図１０に示すように、固定部２０に対する被覆シート３０の取付角度（被覆シートの中心周りの回転角度）が０〜３６０度の全範囲で固定部２０の全体を被覆可能であるように、被覆シート３０及び固定部２０の各寸法形状を定めるのも好ましい形態である。具体的に図１０（ａ）に示される形態は、矩形状固定部２０と円状被覆シート３０とを組み合わせ、固定部２０の対角線長さを被覆シート３０の直径（短径）よりも短くしたものであり、図１０（ｂ）に示される形態は、円状固定部２０と矩形状被覆シート３０とを組み合わせ、固定部２０の直径（短径）を被覆シート３０の各辺の長さよりも短くしたものである。被覆シート３０及び固定部２０の各寸法形状がこの条件を満たしていることにより、チューブ等４０の向きに応じて被覆シート３０の向き図１０（ａ）二点鎖線で示すように回転させても固定部２０全体を覆うことができる。
【産業上の利用可能性】
【００４２】
本発明は、病院等の医療施設において、乳幼児、特に低出生体重児に用いる使い捨ておむつに好適であるが、大人用にも用いることができ、特に治療や監視等のためにチューブやコードを身体表面に固定する必要のある装着者用途に好適である。
【符号の説明】
【００４３】
１…使い捨ておむつ、１Ａ…先端側部分、１Ｂ…基端側部分、２…表面シート、３…液不透過性裏面シート、４…吸収体、５…周縁部、６…弾性伸縮部材、１０…吸収本体、２０…固定部、３０…被覆シート。
【図１】
2011010705.tif 000003
【図２】
2011010705.tif 000004
【図３】
2011010705.tif 000005
【図４】
2011010705.tif 000006
【図５】
2011010705.tif 000007
【図６】
2011010705.tif 000008
【図７】
2011010705.tif 000009
【図８】
2011010705.tif 000010
【図９】
2011010705.tif 000011
【図１０】
2011010705.tif 000012